(57)【特許請求の範囲】
【請求項１】
現金処理装置であって、
前記現金処理装置の外部との接続口を介して現金を搬送させる現金搬送部と、
前記現金搬送部によって搬送される現金を収納する現金収納部と、
前記現金収納部から回収される現金を収納する現金回収部と、
を備え、
前記現金搬送部および前記現金収納部は、互いに独立して前記現金処理装置から引き出される収納庫にそれぞれ設けられ、
前記現金回収部は、回収される紙幣を収納する紙幣回収部と、回収される硬貨を収納する硬貨回収部とを含み、
前記紙幣回収部および前記硬貨回収部は、同一の収納庫に設けられる、現金処理装置。
【請求項２】
現金処理装置であって、
前記現金処理装置の外部との接続口を介して現金を搬送させる現金搬送部と、
前記現金搬送部によって搬送される現金を収納する現金収納部と、
を備え、
前記現金搬送部および前記現金収納部は、互いに独立して前記現金処理装置から引き出される収納庫にそれぞれ設けられ、
前記現金搬送部は、入出金口を介して紙幣を取り込みまたは放出する紙幣入出金部を含み、
前記現金搬送部は、入金口を介して硬貨を取り込む硬貨入金部と、出金口を介して硬貨を放出する硬貨出金部とを含み、
前記紙幣入出金部および前記硬貨出金部は、同一の収納庫に設けられる、現金処理装置。
【請求項３】
現金処理装置であって、
前記現金処理装置の外部との接続口を介して現金を搬送させる現金搬送部と、
前記現金搬送部によって搬送される現金を収納する現金収納部と、
前記現金収納部から回収される現金を収納する現金回収部と、
を備え、
前記現金搬送部および前記現金収納部は、互いに独立して前記現金処理装置から引き出される収納庫にそれぞれ設けられ、
前記現金収納部は、取り込まれるまたは放出される硬貨を収納する硬貨収納部を含み、
前記現金回収部は、回収される硬貨を収納する硬貨回収部を含み、
前記現金処理装置は、前記硬貨収納部から前記硬貨回収部に硬貨が通過するシュートをさらに備え、
前記硬貨収納部を収納する収納庫は、少なくとも１つの他の収納庫を挟んで前記硬貨回収部を収納する収納庫よりも上段に設けられる、現金処理装置。
【請求項４】
前記現金収納部が収納される収納庫は錠を有し、
前記現金処理装置は、操作に基づいて、前記現金収納部が収納される収納庫の錠を制御する制御部と、
操作者情報を取得する情報取得部と、をさらに備え、
前記制御部は、前記現金収納部の収納される収納庫の解錠に係る操作が行われた際、前記操作者情報の示す操作者が予め決定される操作者である場合に、前記現金収納部の収納される収納庫を解錠する、請求項１〜３のいずれか一項に記載の現金処理装置。
【請求項５】
前記現金収納部が収納される収納庫は錠を有し、
前記現金処理装置は、操作に基づいて、前記現金収納部が収納される収納庫の錠を制御する制御部をさらに備え、
前記現金回収部は、前記制御部によって制御される錠を有する収納庫に収納され、少なくとも前記現金搬送部と独立して前記現金処理装置から引き出される、請求項１または３に記載の現金処理装置。
【請求項６】
前記現金収納部が収納される収納庫は錠を有し、
前記現金処理装置は、操作に基づいて、前記現金収納部が収納される収納庫の錠を制御する制御部と、
前記現金収納部から回収される現金を収納する現金回収部と、をさらに備え、
前記現金回収部は、前記制御部によって制御される錠を有する収納庫に収納され、少なくとも前記現金搬送部と独立して前記現金処理装置から引き出される、請求項２に記載の現金処理装置。
【請求項７】
前記現金搬送部は、入出金口を介して紙幣を取り込みまたは放出する紙幣入出金部を含み、
前記現金収納部は、取り込まれるまたは放出される紙幣を収納する紙幣収納部を含む、請求項１に記載の現金処理装置。
【請求項８】
前記現金搬送部は、入金口を介して硬貨を取り込む硬貨入金部と、出金口を介して硬貨を放出する硬貨出金部とを含み、
前記現金収納部は、取り込まれるまたは放出される硬貨を収納する硬貨収納部を含む、請求項１または７に記載の現金処理装置。
【請求項９】
前記現金収納部から回収される現金を収納する現金回収部をさらに備え、
前記現金収納部は、取り込まれるまたは放出される紙幣を収納する紙幣収納部を含み、
前記現金回収部は、回収される紙幣を収納する紙幣回収部を含む、請求項２に記載の現金処理装置。
【請求項１０】
前記現金収納部から回収される現金を収納する現金回収部をさらに備え、
前記現金収納部は、取り込まれるまたは放出される硬貨を収納する硬貨収納部を含み、
前記現金回収部は、回収される硬貨を収納する硬貨回収部を含む、請求項２または９に記載の現金処理装置。
【請求項１１】
前記現金搬送部は、入出金口を介して紙幣を取り込みまたは放出する紙幣入出金部を含み、
前記現金収納部は、取り込まれるまたは放出される紙幣を収納する紙幣収納部を含み、
前記現金回収部は、回収される紙幣を収納する紙幣回収部を含む、請求項３に記載の現金処理装置。
【請求項１２】
前記現金搬送部は、入金口を介して硬貨を取り込む硬貨入金部と、出金口を介して硬貨を放出する硬貨出金部とを含む、請求項３または１１に記載の現金処理装置。
【発明の詳細な説明】
【技術分野】
【０００１】
本発明は、現金処理装置に関する。
【背景技術】
【０００２】
近年、コンビニエンスストアまたはスーパーマーケット等の小売店において、売上金または釣銭準備金等の管理のために現金処理装置が用いられている。このような現金処理装置は一般的に入出金機能および現金収納機能を備える。ここで、収納されている現金の数量等に異常が発生することを抑制するために、操作者が現金処理装置の内部装置に接触する状況を少なくすることが求められる。
【０００３】
例えば、特許文献１では、取引前に硬貨出金箱および硬貨返却箱を識別し、ユーザに識別される箱の種類を表示する現金処理装置に係る発明が開示されている。この場合、ユーザは、実際に箱を引き出して確認することなく、箱の種類を把握することができる。
【先行技術文献】
【特許文献】
【０００４】
【特許文献１】特開２０１３−１０９４００号公報
【発明の概要】
【発明が解決しようとする課題】
【０００５】
しかし、特許文献１で開示される発明は、現金が収納される内部装置と入出金を処理する内部装置とが一体となって形成されているため、入出金を処理する内部装置を操作する際に、現金が収納される内部装置にも操作者は接触することになる。そのため、当該操作の際に現金が紛失される等によって、収納される現金の数量等の異常が発生する可能性があるという問題があった。
【０００６】
そこで、本発明は、上記問題に鑑みてなされたものであり、本発明の目的とするところは、収納される現金についての異常の発生を抑制することが可能な、新規かつ改良された現金処理装置を提供することにある。
【課題を解決するための手段】
【０００７】
上記課題を解決するために、本発明のある観点によれば、現金処理装置であって、前記現金処理装置の外部との接続口を介して現金を搬送させる現金搬送部と、前記現金搬送部によって搬送される現金を収納する現金収納部と、前記現金収納部から回収される現金を収納する現金回収部と、を備え、前記現金搬送部および前記現金収納部は、互いに独立して前記現金処理装置から引き出される収納庫にそれぞれ設けられ、前記現金回収部は、回収される紙幣を収納する紙幣回収部と、回収される硬貨を収納する硬貨回収部とを含み、前記紙幣回収部および前記硬貨回収部は、同一の収納庫に設けられる、現金処理装置が提供される。
【０００８】
また、上記課題を解決するために、本発明の別の観点によれば、現金処理装置であって、前記現金処理装置の外部との接続口を介して現金を搬送させる現金搬送部と、前記現金搬送部によって搬送される現金を収納する現金収納部と、を備え、前記現金搬送部および前記現金収納部は、互いに独立して前記現金処理装置から引き出される収納庫にそれぞれ設けられ、前記現金搬送部は、入出金口を介して紙幣を取り込みまたは放出する紙幣入出金部を含み、前記現金搬送部は、入金口を介して硬貨を取り込む硬貨入金部と、出金口を介して硬貨を放出する硬貨出金部とを含み、前記紙幣入出金部および前記硬貨出金部は、同一の収納庫に設けられる、現金処理装置が提供される。

【０００９】
また、上記課題を解決するために、本発明の別の観点によれば、現金処理装置であって、前記現金処理装置の外部との接続口を介して現金を搬送させる現金搬送部と、前記現金搬送部によって搬送される現金を収納する現金収納部と、前記現金収納部から回収される現金を収納する現金回収部と、を備え、前記現金搬送部および前記現金収納部は、互いに独立して前記現金処理装置から引き出される収納庫にそれぞれ設けられ、前記現金収納部は、取り込まれるまたは放出される硬貨を収納する硬貨収納部を含み、前記現金回収部は、回収される硬貨を収納する硬貨回収部を含み、前記現金処理装置は、前記硬貨収納部から前記硬貨回収部に硬貨が通過するシュートをさらに備え、前記硬貨収納部を収納する収納庫は、少なくとも１つの他の収納庫を挟んで前記硬貨回収部を収納する収納庫よりも上段に設けられる、現金処理装置が提供される。
【発明の効果】
【００１７】
以上説明したように本発明によれば、収納される現金についての異常の発生を抑制することが可能な現金処理装置が提供される。
【図面の簡単な説明】
【００１８】
【図１Ａ】一般的な現金処理装置の正面図である。
【図１Ｂ】一般的な現金処理装置の側面図である。
【図２】一般的な現金処理装置の硬貨処理部の構造を説明するための図である。
【図３】一般的な現金処理装置の硬貨処理部の操作の例を示す図である。
【図４】一般的な現金処理装置の紙幣処理部の構造を説明するための図である。
【図５】一般的な現金処理装置の紙幣処理部の操作の例を示す図である。
【図６】本発明の一実施形態に係る現金処理装置の斜視図である。
【図７】本実施形態に係る現金処理装置の内部構成を説明するための図である。
【図８】本実施形態に係る現金処理装置の硬貨処理部およびシュートの構成を説明するための図である。
【図９】本実施形態に係る現金処理装置の硬貨処理部の各構成が引き出される例について説明するための図である。
【図１０】本実施形態に係る現金処理装置の紙幣処理部の構成を説明するための図である。
【図１１】本実施形態に係る現金処理装置の紙幣処理部の各構成が引き出される例について説明するための図である。
【図１２】本実施形態に係る現金処理装置の概略的な機能構成を示すブロック図である。
【図１３】本実施形態の変形例に係る現金処理装置の斜視図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜１．本発明の一実施形態に係る現金処理装置の概要＞
まず、本発明の一実施形態に係る現金処理装置の概要および一般的な現金処理装置について説明する。
【００２１】
図６に示す本発明の一実施形態に係る現金処理装置１００は、入出金処理機能および現金収納機能を有する。現金処理装置１００は、硬貨または紙幣等の現金が投入された際に、投入される現金を金種別に収納し、出金操作が行われた際に、操作によって指示される金種の現金を放出する。また、現金処理装置１００は、入出金処理が行われる現金以外に、釣銭準備金等として棒金を収納する。
【００２２】
例えば、店舗の売上金が店員によって現金処理装置１００に投入される際に、現金処理装置１００は投入される売上金を金種別に収納し、現金回収業者が売上金を回収する際に、現金処理装置１００は売上金の金額に相当する現金を放出する。また、店員がレジスタの釣銭を補充する場合等に、現金処理装置１００に収納される棒金が取り出される。
【００２３】
一般的に、現金処理装置が設置される小売店の従業員等は、売上金を現金処理装置に投入し、釣銭準備金を現金処理装置から引き出す。また、現金回収業者は、現金処理装置から売上金を引き出し、また釣銭準備金を現金処理装置に投入する。
【００２４】
さらに、小売店の従業員等によって現金処理装置に投入される売上金の合計を算出する締めが行われた際に、例えば電話回線またはインターネットを介して現金回収業者側に売上金の金額が通知され、現金回収業者は通知される金額を小売店の口座に振り込む。その後、現金回収業者は小売店の現金処理装置から売上金を回収する。このため、現金処理装置には小売店側の現金と現金回収業者側の現金とが一時的に混在することになる。
【００２５】
しかし、一般的な現金処理装置は、操作者が現金処理装置の内部装置について操作する場合、現金が収納される内部装置についても操作者が接触し得る構造を有する。図１Ａおよび図１Ｂを参照して一般的な現金処理装置について説明する。図１Ａは、一般的な現金処理装置の正面図であり、図１Ｂは、一般的な現金処理装置の側面図である。
【００２６】
例えば、図１Ａおよび図１Ｂに示したように、一般的な現金処理装置２００は、操作部２１０、制御部２２０、硬貨処理部２３０、紙幣処理部２４０、棒金収納部２５０および通信部２６０を備える。
【００２７】
操作部２１０は、現金処理装置２００を操作するための入力操作等を受け付け、制御部２２０は、現金処理装置２００の動作を制御する。硬貨処理部２３０および紙幣処理部２４０は、売上金等の入出金処理を行う。棒金収納部２５０は、棒金を収納する収納庫である。また、通信部２６０は、外部装置、例えば現金回収業者側の通信装置に売上金等の情報を送信する。さらに、図２〜図５を参照して一般的な現金処理装置２００の構造について説明する。図２は、一般的な現金処理装置２００の硬貨処理部２３０の構造を説明するための図であり、図３は、一般的な現金処理装置２００の硬貨処理部２３０の操作の例を示す図である。また、図４は、一般的な現金処理装置２００の紙幣処理部２４０の構造を説明するための図であり、図５は、一般的な現金処理装置２００の紙幣処理部２４０の操作の例を示す図である。
【００２８】
一般的な現金処理装置２００の硬貨処理部２３０は、図２に示したように、硬貨入金部２３１、硬貨搬送部２３２、硬貨鑑別部２３３、硬貨一時保留部２３４、硬貨収納部２３５、硬貨出金部２３６および硬貨回収部２３７を備える。
【００２９】
例えば、硬貨入金部２３１に投入される硬貨は硬貨搬送部２３２によって搬送され、硬貨鑑別部２３３によって硬貨の汚損有無等が判別される。そして、汚損等が無いと判別される硬貨は、硬貨一時保留部２３４に搬送された後、硬貨収納部２３５に収納される。硬貨出金部２３６は、硬貨収納部２３５から放出される硬貨を現金処理装置２００の外部に送り出し、硬貨回収部２３７には、現金回収業者が回収する硬貨が硬貨収納部２３５から搬送されて収納される。
【００３０】
さらに、硬貨処理部２３０は現金処理装置２００から引き出される。例えば、現金処理装置２００の筐体の扉が開けられて、図３に示したように、硬貨処理部２３０全体がスライドされて現金処理装置２００の外部に引き出される。
【００３１】
また、一般的な現金処理装置２００の紙幣処理部２３０は、図４に示したように、紙幣入出金部２４１、紙幣搬送部２４２、紙幣鑑別部２４３、紙幣一時保留部２４４、紙幣収納部２４５および紙幣回収部２４６を備える。
【００３２】
例えば、紙幣入出金部２４１に投入される紙幣は紙幣搬送部２４２によって搬送され、紙幣鑑別部２４３によって紙幣の汚損有無等が判別される。そして、汚損等が無いと判別される紙幣は、紙幣一時保留部２４４に搬送された後、紙幣収納部２４５に収納される。紙幣回収部２４６には、現金回収業者が回収する紙幣が紙幣収納部２４５から搬送されて収納される。
【００３３】
さらに、紙幣処理部２４０は現金処理装置２００から引き出される。例えば、現金処理装置２００の筐体の扉が開けられて、図５に示したように、紙幣処理部２４０全体がスライドされて現金処理装置２００の外部に引き出される。
【００３４】
このように、一般的な現金処理装置２００では、硬貨処理部２３０全体および紙幣処理部２４０全体がそれぞれ引き出される。
【００３５】
ここで、例えば、硬貨処理部２３０または紙幣処理部２４０（以下、現金処理部とも称する。）内の搬送路内（硬貨搬送部２３２または紙幣搬送部２４２）でジャムが発生した場合等に、現金処理部全体が現金処理装置２００から引き出されて、ジャムの発生原因を取り除く作業が行われる。硬貨処理部２３０または紙幣処理部２４０に収納されている現金については、通常、小売店側の現金と現金回収業者側の現金とが混在している。したがって、当該ジャムの除去作業を小売店の従業員等が行うとすると、現金回収業者側の現金が収納される部分に対し、小売店の従業員等による操作が行われる可能性がある。そのため、収納される現金の数量等に異常が発生したときに、小売店側または現金回収業者側のどちらの責任であるかを特定することが困難となる。
【００３６】
また、当該ジャムの除去作業全てを現金回収業者が行うとすると、ジャムの発生の度に現金回収業者が出動することになり、ジャムの除去について時間およびコストがかかるといった問題がある。そのため、現金回収業者側の現金が収納される内部装置について小売店の従業員等が操作できない状態で、ジャムの除去作業を小売店の従業員等が行うことが望ましい。
【００３７】
そこで、本発明では、現金が収納される収納庫と他の収納庫が独立して引き出されることが可能な現金処理装置１００を提供する。以下、現金処理装置１００の構成および動作について順次説明する。
【００３８】
＜２．本発明の一実施形態に係る現金処理装置＞
以上、本発明の一実施形態に係る現金処理装置１００の概要および一般的な現金処理装置２００について説明した。次に、本発明の一実施形態に係る現金処理装置１００について説明する。
【００３９】
［２−１．現金処理装置の構成］
まず、図６を参照して、本発明の一実施形態に係る現金処理装置１００の構成について説明する。図６は、本発明の一実施形態に係る現金処理装置１００の斜視図である。
【００４０】
現金処理装置１００は、図６に示したように、操作部１１０、印刷部１２０および収納庫Ａ〜Ｆを備える。
【００４１】
操作部１１０は、現金処理装置１００を動作させるための操作を受け付ける。具体的には、操作部１１０は、現金処理装置１００に行わせる動作を選択する操作を検出し、検出される操作に係る情報を後述する制御部１７０に通知する。例えば、操作部１１０は、図６に示したように現金処理装置１００の上部に配置され、現金処理装置１００に行わせる動作を選択するキー入力を受け付ける。なお、操作部１１０は静電容量方式または抵抗膜方式のタッチパネル等であってもよい。
【００４２】
印刷部１２０は、操作結果等を印刷する。具体的には、印刷部１２０は、操作部１１０について行われる操作に基づいて操作結果等を印刷媒体に印刷する。例えば、印刷部１２０は、図６に示したように現金処理装置１００の上面に配置され、操作部１１０は、所定の操作、例えば操作結果の印刷指示等が行われたことを検出した際に、当該操作が行われた旨を印刷部１２０に通知する。当該通知を受ける印刷部１２０は、後述する記憶部１７２に記憶される操作結果に係る情報を取得し、取得される操作結果に係る情報の内容を紙等の媒体に印刷する。なお、操作結果は操作部１１０または制御部１７０によって記憶部１７２に記憶される。
【００４３】
収納庫Ａ~Ｆは、現金処理装置１００の内部装置等を収納し、それぞれ独立して現金処理装置１００から引き出される。例えば、図６に示したように、収納庫Ａ〜Ｆは引手を有し、例えばユーザが収納庫Ａの引手を掴んで引くことにより収納庫Ａのみが現金処理装置１００の前面に引き出される。さらに、図７を参照して収納庫Ａ〜Ｆに収納される各構成について説明する。図７は、本実施形態に係る現金処理装置１００の内部構成を説明するための図である。
【００４４】
図７に示したように、収納庫Ａは硬貨処理上段部１３０−１を収納し、収納庫Ｂは硬貨処理下段部１３０−２を収納する。収納庫Ｃは硬貨出金部１３０−３および紙幣処理上段部１５０−１を収納し、収納庫Ｄは紙幣処理下段部１５０−２を収納する。収納庫Ｅは硬貨回収部１３０−４と紙幣回収部１５０−３を収納し、収納庫Ｆは棒金収納部１６０を収納する。さらに、現金処理装置１００は硬貨処理下段部１３０−２と硬貨回収部１３０−４とを連通させるシュート１４０を備える。  
【００４５】
（硬貨処理部１３０等の構成）
まず、図８を参照して、硬貨処理上段部１３０−１、硬貨処理下段部１３０−２、硬貨出金部１３０−３および硬貨回収部１３０−４（以下、これらを硬貨処理部１３０とも総称する。）について説明する。図８は、本実施形態に係る現金処理装置１００の硬貨処理部１３０およびシュート１４０の構成を説明するための図である。
【００４６】
硬貨処理上段部１３０−１は、現金搬送部の具体的態様の一例である硬貨入金部として、投入される硬貨の搬送処理を行う。具体的には、硬貨処理上段部１３０−１は投入される硬貨を硬貨処理下段部１３０−２に搬送する。例えば、硬貨処理上段部１３０−１は、図８に示したように、外部との接続口としての硬貨入金口１３１、硬貨搬送部１３２、硬貨鑑別部１３３および硬貨一時保留部１３４を備える。
【００４７】
例えば、硬貨入金口１３１は硬貨の投入を受け付け、投入される硬貨は硬貨搬送部１３２によって搬送され、硬貨鑑別部１３３によって硬貨の汚損有無等が判別される。そして、汚損等が無いと判別される硬貨は、硬貨一時保留部１３４に搬送される。
【００４８】
硬貨処理下段部１３０−２は、投入される硬貨の収納処理を行う。具体的には、硬貨処理下段部１３０−２は硬貨処理上段部１３０−１から搬送される硬貨を収納する。例えば、図８に示したように、硬貨処理下段部１３０−２は硬貨収納部１３５を備え、硬貨収納部１３５は硬貨一時保留部１３４から搬送される硬貨を金種別に収納する。
【００４９】
硬貨出金部１３０−３は、現金搬送部として、収納される硬貨の出金処理を行う。具体的には、硬貨出金部１３０−３は、硬貨処理下段部１３０−２に収納される硬貨を現金処理装置１００の外部に放出する。例えば、図８に示したように、硬貨出金部１３０−３は硬貨移送部１３６および外部との接続口としての硬貨出金口１３７を備える。硬貨移送部１３６は、硬貨収納部１３５から放出される硬貨を硬貨出金口１３７に移送し、移送される硬貨は硬貨出金口１３７を介して現金処理装置１００の外部に出される。このように、現金搬送部（硬貨処理上段部１３０−１または硬貨出金部１３０−３）は、外部との接続口（硬貨入金口１３１または硬貨出金口１３７）を介して現金（硬貨）を搬送させる機能を有する。
【００５０】
硬貨回収部１３０−４は、現金回収業者によって回収される硬貨を収納する。具体的には、硬貨回収部１３０−４は、硬貨処理下段部１３０−２から放出される硬貨を収納する。例えば、図８に示したように、硬貨回収部１３０−４はシュート１４０を介して硬貨収納部１３５と連通され、硬貨収納部１３５から放出されシュート１４０を通って落下される硬貨を収納する。
【００５１】
シュート１４０は、硬貨処理下段部１３０−２から放出される硬貨を硬貨回収部１３０−４に送る。具体的には、シュート１４０は硬貨収納部１３５と硬貨回収部１３０−４と連通させ、硬貨収納部１３５から放出され落下する硬貨を硬貨回収部１３０−４に誘導する。例えば、図８に示したように、シュート１４０は、収納庫ＣおよびＤに跨って形成され、収納庫Ｂに収納される硬貨収納部１３５から放出される硬貨が収納庫Ｅに収納される硬貨回収部１３０−４に落下するように誘導する。なお、シュート１４０は、収納庫Ａ〜Ｆと独立して構成され、現金処理装置１００の外部に引き出されない。
【００５２】
さらに、硬貨処理部１３０の各構成をそれぞれ収納する各収納庫は、独立して現金処理装置１００から引き出される。図９を参照して硬貨処理部１３０に係る収納庫の引き出しについて説明する。図９は、本実施形態に係る現金処理装置１００の硬貨処理部１３０の各構成が引き出される例について説明するための図である。
【００５３】
上述したように、硬貨処理部１３０の各構成はそれぞれ異なる収納庫に収納される。例えば、図９に示したように、硬貨処理上段部１３０−１は収納庫Ａに、硬貨処理下段部１３０−２は収納庫Ｂに、硬貨出金部１３０−３は収納庫Ｃに、硬貨回収部１３０−４は収納庫Ｅにそれぞれ収納される。
【００５４】
そして、各収納庫は独立して現金処理装置１００から引き出される。例えば、図９に示したように、収納庫Ａは、他の収納庫Ｂ〜Ｆと独立して現金処理装置１００の前面に引き出される。すなわち、収納庫Ａに収納される硬貨処理上段部１３０−１は、他の硬貨処理部１３０の構成と独立して現金処理装置１００から引き出されることになる。
【００５５】
（紙幣処理部１５０の構成）
続いて、図１０を参照して、紙幣処理上段部１５０−１、紙幣処理下段部１５０−２および紙幣回収部１５０−３（以下、これらを紙幣処理部１５０とも総称する。）について説明する。図１０は、本実施形態に係る現金処理装置１００の紙幣処理部１５０の構成を説明するための図である。
【００５６】
紙幣処理上段部１５０−１は、現金搬送部の具体的態様の一例である紙幣入出金部として、投入され、または放出される紙幣の搬送処理を行う。具体的には、紙幣処理上段部１５０−１は、投入され、または放出される紙幣を紙幣処理下段部１５０−２に搬送する。例えば、紙幣処理上段部１５０−１は、図１０に示したように、紙幣入出金口１５１、紙幣搬送部１５２、紙幣鑑別部１５３および紙幣一時保留部１５４を備える。このように、現金搬送部（紙幣処理上段部１５０−１）は、外部との接続口（紙幣入出金口１５１）を介して現金（紙幣）を搬送させる機能を有する。
【００５７】
例えば、紙幣入出金口１５１は紙幣の投入を受け付け、投入される紙幣は紙幣搬送部１５２によって搬送され、紙幣鑑別部１５３によって紙幣の汚損有無等が判別される。そして、汚損等が無いと判別される紙幣は、紙幣一時保留部１５４に搬送される。また、紙幣搬送部１５２は、紙幣処理下段部１５０−２から送られる紙幣を紙幣入出金口１５１に搬送する。
【００５８】
紙幣処理下段部１５０−２は、投入される紙幣の収納処理を行う。具体的には、紙幣処理下段部１５０−２は紙幣処理上段部１５０−１から搬送される紙幣を収納する。例えば、図１０に示したように、紙幣処理下段部１５０−２は紙幣収納部１５５を備え、紙幣収納部１５５は紙幣一時保留部１５４から搬送される紙幣を金種別に収納する。
【００５９】
紙幣回収部１５０−３は、現金回収業者によって回収される紙幣を収納する。具体的には、紙幣回収部１５０−３は、紙幣処理下段部１５０−２から搬送される紙幣を収納する。例えば、図１０に示したように、紙幣収納部１５５から取り出された紙幣は搬送路を通って紙幣回収部１５０−３に搬送される。
【００６０】
さらに、紙幣処理部１５０の各構成をそれぞれ収納する各収納庫は、硬貨処理部１３０の各構成をそれぞれ収納する各収納庫と同様に、独立して現金処理装置１００から引き出される。図１１を参照して紙幣処理部１５０に係る収納庫の引き出しについて説明する。図１１は、本実施形態に係る現金処理装置１００の紙幣処理部１５０の各構成が引き出される例について説明するための図である。
【００６１】
上述したように、紙幣処理部１５０の各構成はそれぞれ異なる収納庫に収納される。例えば、図１１に示したように、紙幣処理上段部１５０−１は収納庫Ｃに、紙幣処理下段部１５０−２は収納庫Ｄに、紙幣回収部１５０−３は収納庫Ｅにそれぞれ収納される。
【００６２】
そして、各収納庫は独立して現金処理装置１００から引き出される。例えば、図１１に示したように、収納庫Ｃは、他の収納庫ＤおよびＥと独立して現金処理装置１００の前面に引き出される。すなわち、収納庫Ｃに収納される紙幣処理上段部１５０−１は、他の紙幣処理部１５０の構成と独立して現金処理装置１００から引き出されることになる。
【００６３】
（収納庫の錠制御）
続いて、現金処理装置１００の収納庫の錠制御について説明する。
【００６４】
まず、現金が収納される収納庫は錠を有する。具体的には、硬貨または紙幣が収納される収納庫は施錠または解錠される。例えば、硬貨収納部１３５、紙幣収納部１５５（以下、これらを現金収納部とも総称する。）、硬貨回収部１３０−４、紙幣回収部１５０−３（以下、これらを現金回収部とも総称する。）、棒金収納部１６０を収納する収納庫Ｂ、Ｄ〜Ｆは錠を備え、後述する制御部１７０によって収納庫Ｂ、Ｄ〜Ｆについての施錠および解錠が制御される。
【００６５】
このように、現金収納部または現金回収部等が収納される収納庫は錠を有する。このため、当該収納庫を解錠できる者しか現金収納部を操作することができなくされることにより、収納される現金についての異常が発生することを抑制することが可能となる。次に、図１２を参照して収納庫の錠制御について具体的に説明する。図１２は、本実施形態に係る現金処理装置１００の概略的な機能構成を示すブロック図である。
【００６６】
現金処理装置１００は、図１２に示したように、操作部１１０、制御部１７０、記憶部１７２、錠制御部１７４および通信部１７６を備える。
【００６７】
操作部１１０は、上述したように、現金処理装置１００に行わせる動作を選択する操作を検出し、検出される操作に係る情報を制御部１７０に通知する。
【００６８】
制御部１７０は、現金処理装置１００の動作を制御する。具体的には、制御部１７０は、操作部１１０によって通知される操作に係る情報に基づいて、現金処理装置１００の備える各構成の動作を制御する。例えば、ユーザによって硬貨または紙幣の入出金操作が選択され、操作部１１０によって当該選択操作に係る情報が通知される場合、制御部１７０は硬貨処理部１３０または紙幣処理部１５０に入出金処理を行わせる。
【００６９】
また、制御部１７０は、検出される操作に基づいて収納庫の錠制御を行う。具体的には、制御部１７０は、操作部１１０から操作に係る情報が通知された際に、当該情報の示す操作が収納庫の錠制御に係る操作であるかを判定する。当該操作が収納庫の錠制御に係る操作であると判定される場合、制御部１７０は錠制御部１７４に動作を指示する。
【００７０】
例えば、制御部１７０は、操作部１１０によって現金回収操作が検出され、当該操作に係る情報が通知された際に、当該操作と操作に関係する収納庫との対応情報を記憶部１７２から取得し、対応する収納庫の解錠を当該操作が要するかを判定する。当該操作が収納庫の解錠を要すると判定される場合、制御部１７０は当該収納庫を解錠するように錠制御部１７４に指示する。
【００７１】
また、制御部１７０は、引き出された収納庫が元に戻された際に、当該収納庫を施錠させる。例えば、現金処理装置１００は別途収納庫の開閉（以下、引き出された状態を開状態、元に戻された状態閉状態とも称する。）を検出する開閉検出部を備え、開閉検出部は収納庫の開閉状態を検出し、開閉状態が変化した際にその旨を制御部１７０に通知する。当該通知を受ける制御部１７０は、開閉状態が閉状態に変化したことを当該通知が示す場合、開閉状態が閉状態に変化した収納庫を施錠するように錠制御部１７４に指示する。
【００７２】
このように、制御部１７０は、操作に基づいて、現金収納部が収納される収納庫の錠を制御する。このため、自動的に収納庫の施錠または解錠が行われることにより、ユーザの作業負担を低減することが可能となる。
【００７３】
記憶部１７２は、操作と収納庫との対応関係に係る情報を記憶する。具体的には、記憶部１７２は、操作部１１０により検出され得る操作と、当該検出され得る操作において開閉される収納庫との対応関係に係る情報を記憶する。また、記憶部１７２は収納庫の錠の有無を上記の対応関係に係る収納庫についての情報として記憶する。
【００７４】
錠制御部１７４は、収納庫を施錠し、または解錠する。具体的には、錠制御部１７４は、制御部１７０の指示に基づいて指示対象の収納庫を施錠し、または解錠する。例えば、錠制御部１７４は、錠と錠の開閉を行う駆動装置とで構成され、制御部１７０から動作指示を受けた際に、駆動装置が錠の開閉を行う。例えば、駆動装置は電動モータ等を動力源とし得る。
【００７５】
通信部１７６は、現金処理装置１００の外部の装置と通信する。具体的には、通信部１７６は、取引結果または操作結果等の情報を外部装置に送信する。例えば、通信部１７６は、入金された売上金の金額等を含む情報を現金回収業者の装置に向けて送信する。なお、通信方式は有線通信または無線通信のいずれであってもよい。
【００７６】
なお、本実施形態においては、図７に示す収納庫Ａ〜Ｆ毎に、収納される現金が小売店側の現金または現金回収業者側の現金であるかを明確にしておくことが望ましい。
【００７７】
例えば、収納庫Ａは硬貨処理上段部１３０−１（硬貨入金部）を収納し、収納庫Ａに収納される現金は小売店側の現金とする。収納庫Ｂは硬貨処理下段部１３０−２（硬貨収納部）を収納し、収納庫Ｂに収納される現金は小売店側および現金回収業者側の両方の現金とする。収納庫Ｃは、紙幣処理上段部１５０−１（紙幣入出金部）と硬貨出金部１３０−３を収納し、収納庫Ｃに収納される現金は小売店側の現金とする。収納庫Ｄは、紙幣収納部１５５を含む紙幣処理下段部１５０−２を収納し、収納庫Ｄに収納される現金は小売店側および現金回収業者側の両方の現金とする。収納庫Ｅは、硬貨回収部１３０−４および紙幣回収部１５０−３を収納し、収納庫Ｅに収納される現金は現金回収業者側の現金とする。収納庫Ｆは、棒金収納部１６０を収納し、収納庫Ｆに収納される現金は小売店側の現金とする。
【００７８】
さらに、収納庫ＡおよびＣについては小売店側の操作者が解錠可能であるとし、収納庫Ｂ、ＤおよびＥについては現金回収業者側の操作者が解錠可能であるとする。また、収納庫Ｆについては、棒金は搬送されずジャムが発生しないため、小売店側および現金回収業者側の両方が解錠可能とする。
【００７９】
上記のようにすることで、収納庫ＡおよびＣに収納される現金について現金違算が発生した場合、操作者が小売店側に特定されるため、責任の所在が明確になる。また、収納庫ＢおよびＤに収納される現金について現金違算が発生した場合、収納庫ＢおよびＤに収納される現金は小売店側および現金回収業者の両方の現金であるが、現金回収集業者側のみが解錠可能とされることにより、操作者が現金回収業者側に特定されるため、責任の所在が明確になる。また、収納庫Ｅに収納される現金について現金違算が発生した場合、操作者が現金回収業者側に特定されるため、責任の所在が明確になる。
【００８０】
このように、本発明の一実施形態によれば、現金処理装置１００は、外部との接続口を介して、現金を搬送させる現金搬送部を備える。また、現金処理装置１００は、当該現金搬送部によって搬送される現金を収納する現金収納部を備える。そして、当該現金搬送部および当該現金収納部は、互いに独立して現金処理装置１００から引き出される収納庫にそれぞれ設けられる。このため、操作者は現金収納部以外の内部装置を現金収納部に接触することなく操作することができ、収納される現金についての異常の発生を抑制することが可能となる。特に、現金搬送部においてジャムが発生しやすいため、現金収納部と独立して現金搬送部の引き出しが可能となることにより、当該ジャムの除去作業を小売店側で行うことができ、現金回収業者の出動回数を低減することが可能となる。
【００８１】
また、現金処理装置１００は、上記現金収納部から回収される現金を収納し、制御部１７０によって制御される錠を有する収納庫に収納される現金回収部を備える。そして、当該現金回収部は、少なくとも上記現金搬送部と独立して現金処理装置１００から引き出される。このため、現金収納部と別個の現金回収部が設けられることにより、現金回収業者も現金収納部を操作することなく作業を行うことができるようになり、さらに現金についての異常の発生を抑制することが可能となる。
【００８２】
また、上記現金搬送部は、入出金口を介して紙幣を取り込みまたは放出する紙幣入出金部を含み、上記現金収納部は、取り込まれるまたは放出される紙幣を収納する紙幣収納部を含み、上記現金回収部は、回収される紙幣を収納する紙幣回収部を含む。このため、硬貨と比べて高額な紙幣の紛失等の異常が抑制されることにより、紛失等による損害額を効果的に低減することが可能となる。
【００８３】
また、上記現金搬送部は、入金口を介して硬貨を取り込む硬貨入金部と、出金口を介して硬貨を放出する硬貨出金部とを含み、上記現金収納部は、取り込まれるまたは放出される硬貨を収納する硬貨収納部を含み、上記現金回収部は、回収される硬貨を収納する硬貨回収部を含む。このため、紙幣と比べて紛失等されやすい硬貨についての異常が抑制されることにより、異常の発生回数を効果的に低減することが可能となる。
【００８４】
また、上記紙幣回収部および上記硬貨回収部は、同一の収納庫に設けられる。このため、現金回収業者は複数の収納庫について作業を行わずに済み、現金回収業者の作業負担を低減することが可能となる。
【００８５】
また、上記紙幣入出金部および上記硬貨出金部は、同一の収納庫に設けられる。このため、収納庫数が削減されることにより、コストの低減および現金処理装置１００の縮小化が可能となる。
【００８６】
また、現金処理装置１００は、上記硬貨収納部から上記硬貨回収部に硬貨が通過するシュートをさらに備え、上記硬貨収納部を収納する収納庫は、少なくとも１つの他の収納庫を挟んで上記硬貨回収部を収納する収納庫よりも上段に設けられる。このため、現金処理装置１００の収納庫の構成に柔軟性がもたらされることにより、現金処理装置１００に構成を追加しやすくすることが可能となる。
【００８７】
［２−２．変形例］
以上、本発明の一実施形態について説明した。なお、本実施形態は、上述の例に限定されない。以下に、本実施形態の変形例について説明する。
【００８８】
本実施形態の変形例として、現金処理装置１００は、操作者に応じて、現金収納部が収納される収納庫の錠制御を行ってもよい。具体的には、現金処理装置１００は操作者情報を取得する情報取得部１８０をさらに備え、制御部１７０は、現金収納部の収納される収納庫の解錠に係る操作が行われた際、当該操作者情報の示す操作者が予め決定される操作者である場合に、現金収納部の収納される収納庫を解錠する。さらに、図１３を参照して本変形例の情報取得部１８０について説明する。図１３は、本実施形態の変形例に係る現金処理装置１００の斜視図である。
【００８９】
現金処理装置１００は、図１３に示したように、操作部１１０、印刷部１２０および収納庫Ａ〜Ｆに加えて、情報取得部１８０を備える。
【００９０】
情報取得部１８０は、現金処理装置１００の操作者情報を取得する。具体的には、情報取得部１８０は、ユーザ操作に基づいて操作者情報を取得し、取得される操作者情報を記憶部１７２に記憶させる。例えば、情報取得部１８０は、ＩＣ（Ｉｎｔｅｇｒａｔｅｄ  Ｃｉｒｃｕｉｔ）カードまたは磁気カード等から情報を読み取るカードリーダであり、例えばＩＣカードをカードリーダに接触または近接させる操作が行われた際に当該ＩＣカードから操作者情報を読み取る。なお、情報取得部１８０はバーコードまたはＱＲコード（登録商標）等から情報を読み取るコードリーダであってもよい。
【００９１】
なお、情報取得部１８０は、操作部１１０に対する操作者情報の入力操作に基づいて操作者情報を取得してもよい。例えば、操作部１１０は、操作者情報の入力操作を検出し、検出される操作の内容を情報取得部１８０に通知する。当該通知を受ける情報取得部１８０は、操作の内容から操作者情報を生成し、生成される操作者情報を記憶部１７２に記憶させる。
【００９２】
制御部１７０は、錠制御を要する操作が行われる場合、当該操作を行う操作者が予め決定される操作者であるときは、錠制御部１７４に動作を指示する。具体的には、操作部１１０から操作に係る情報が通知され、当該操作が収納庫の錠制御に係る操作であると判定される場合、制御部１７０は操作者情報を取得する。そして、制御部１７０は、取得される操作者情報の示す操作者が予め決定される操作者の要件を満たす場合、錠制御部１７４に操作に係る収納庫の解錠を指示する。
【００９３】
例えば、まず、ＩＣカード等をカードリーダに近接させる操作が行われた際に、操作者情報取得部１８０によって操作者情報が取得され、記憶部に１７２に操作者情報が記憶される。次に、操作部１１０によって例えば現金回収操作が検出され、当該操作に係る情報が通知された際に、制御部１７０は、当該操作が収納庫の解錠を要すると判定し、操作者情報および予め決定される操作者要件に係る情報を記憶部１７２から取得する。そして、制御部１７０は、取得される操作者情報の示す操作者が、操作者要件に係る情報により特定される例えば現金回収業者である場合、錠制御部１７４に現金回収部の収納される収納庫の解錠を指示する。
【００９４】
このように、本実施形態の変形例によれば、現金処理装置１００は操作者情報を取得する情報取得部１８０を備える。そして、制御部１７０は、現金収納部の収納される収納庫の解錠に係る操作が行われた際、当該操作者情報の示す操作者が予め決定される操作者である場合に、現金収納部の収納される収納庫を解錠する。このため、自動的に操作者を判別して収納庫の錠制御が行われることにより、収納庫の鍵管理を省略することができ、作業効率および利便性を向上させることが可能となる。
【００９５】
なお、上記では、予め決定される操作者要件に係る情報は記憶部１７２から取得される例を説明したが、当該操作者要件に係る情報は通信部１７６を介して取得されてもよい。例えば、操作部１１０から操作に係る情報が通知され、当該操作が収納庫の錠制御に係る操作であると判定される場合、制御部１７０は、通信部１７６に操作者要件に係る情報の取得要求を外部装置に向けて送信させる。そして、制御部１７０は、通信部１７６によって外部装置から受信される操作者要件に係る情報に基づいて錠制御の有無を判断する。この場合、操作者要件に係る情報が外部で管理されるため、現金処理装置１００からの情報漏えいの可能性を低下させることが可能となる。
【００９６】
＜３．むすび＞
以上、本発明の一実施形態によれば、操作者は現金収納部以外の内部装置を現金収納部に接触することなく操作することができ、収納される現金についての異常の発生を抑制することが可能となる。
【００９７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９８】
例えば、上記実施形態では、現金収納部が収納される収納庫について錠制御が行われる例を説明したが、本発明はかかる例に限定されない。例えば、現金処理装置１００の全ての収納庫が錠を有し、制御部１７０は全ての収納庫の錠を制御してもよい。この場合、現金処理装置１００の防犯性をさらに向上させることが可能となる。
【００９９】
また、上記実施形態では、現金回収部は１つである例を説明したが、現金回収部は複数備えられてもよい。例えば、紙幣回収部１５０−３に隣接する位置に別途の紙幣回収部が設けられ、紙幣回収部１５０−３が満杯となった場合、当該別途の紙幣回収部に紙幣が収納される。この場合、現金回収部が満杯になった際の交換作業の発生頻度が低減されることにより、ユーザの作業効率を向上させることが可能となる。
【０１００】
また、現金処理装置１００は現金回収部を備えなくてもよい。例えば、現金回収業者は現金収納部から現金を回収するようにしてもよい。この場合、現金回収部が収納されている収納庫を別の用途に活用すること、または当該収納庫が省略されコストを低減することが可能となる。
【０１０１】
また、上記実施形態では、操作者情報が予め決定される操作者である場合、収納庫が解錠される例を説明したが、操作者情報によって選択可能な操作が提示されてもよい。例えば、操作部１１０は表示部を有し、制御部１７０は操作者情報の示す操作者が選択可能な操作に係るメニューを表示部に表示させる。この場合、操作者に選択可能な操作以外の操作が提示されないことにより、現金処理装置１００の防犯性を向上させることが可能となる。
【０１０２】
また、上記実施形態では、現金処理装置１００の収納庫は引き出される例を説明したが、当該収納庫は開閉されてもよい。例えば、収納庫は、錠を備える扉を有し、制御部１７０は収納庫の扉の錠を制御する。また、収納庫は現金処理装置１００から取り出されてもよい。
【０１０３】
また、上記実施形態では、現金処理装置１００は硬貨処理部１３０および紙幣処理部１５０の両方を備える例を説明したが、現金処理装置１００は硬貨処理部１３０または紙幣処理部１５０のいずれか一方のみを備えてもよい。
【０１０４】
また、上記実施形態では、硬貨回収部１３０−４と紙幣回収部１５０−３とが同じ収納庫に収納される例を説明したが、硬貨回収部１３０−４および紙幣回収部１５０−３はそれぞれ別の収納庫に収納されてもよい。同様に、硬貨出金部１３０−３および紙幣処理上段部１５０−１もそれぞれ別の収納庫に収納されてもよい。
【０１０５】
また、上記実施形態では、現金処理装置１００の収納庫は他の収納庫と独立して引き出される例を説明したが、当該収納庫のうちの現金が収納される収納庫については、複数の収納庫が一体となって引き出されてもよい。同様に、現金が収納されない収納庫について、複数の収納庫が一体となって引き出されてもよい。
【０１０６】
また、収納庫Ａ〜Ｆの各々に収納される現金を小売店側および現金回収業者側のいずれかの現金または両方の現金とするかは種々の変更が可能である。また、収納庫Ａ〜Ｆの各々について、小売店側および現金回収業者側のいずれかまたは両方が解錠可能とするかは種々の変更が可能である。
【符号の説明】
【０１０７】
１００      現金処理装置
１１０      操作部
１３０      硬貨処理部
１３０−１  硬貨処理上段部
１３０−２  硬貨処理下段部
１３０−３  硬貨出金部
１３０−４  硬貨回収部
１３１      硬貨入金口
１３２      硬貨搬送部
１３５      硬貨収納部
１３７      硬貨出金口
１４０      シュート
１５０      紙幣処理部
１５０−１  紙幣処理上段部
１５０−２  紙幣処理下段部
１５０−３  紙幣回収部
１５１      紙幣入出金口
１５２      紙幣搬送部
１５５      紙幣収納部
１７０      制御部
１７４      錠制御部
１８０      情報取得部
【図１Ａ】
0006331737.tif 000002
【図１Ｂ】
0006331737.tif 000003
【図２】
0006331737.tif 000004
【図３】
0006331737.tif 000005
【図４】
0006331737.tif 000006
【図５】
0006331737.tif 000007
【図６】
0006331737.tif 000008
【図７】
0006331737.tif 000009
【図８】
0006331737.tif 000010
【図９】
0006331737.tif 000011
【図１０】
0006331737.tif 000012
【図１１】
0006331737.tif 000013
【図１２】
0006331737.tif 000014
【図１３】
0006331737.tif 000015